(57)【要約】      （修正有）【課題】素焼樹脂等の鉢等の見栄えの悪さをなくしつつ木花草鉢等を季節や時期に応じて取り替える場合の経済的な負担を小さくする。また、見栄えがよく長持ちのする花８ａをお墓に飾ること可能とした化粧鉢３や、人に対する表示機能や宣伝機能などを有する化粧鉢１、２、３を提供することにある。【解決手段】陶磁器からなる化粧鉢であって、その表面に人に対する表示機能や宣伝機能などを有する文字、マーク又は絵を彫り付け、彫り付けた部分に油性塗料等を塗装してなる表示１ａ、１ｂ、２ａ、３ａを有し、木花草鉢等６、７、８の鉢６ｂ、７ｂ、８ｂ等の部分を収納可能な化粧鉢１、２、３とする。【選択図】図１
0003113482.tif 000002
【実用新案登録請求の範囲】
【請求項１】
陶磁器の容器からなる化粧鉢であって、木、花又は草を鉢、盆又はプランタに植えたもの（以下単に「木花草鉢等」という。）の鉢、盆又はプランタ（以下単に「鉢等」という。）の部分を収納することが可能であって、その外面に文字、マーク又は絵の形状を彫り付け、前記彫り付けた部分に油性塗料、畜光塗料、夜光塗料又は発光塗料のいずれかの塗料（以下単に「油性塗料等」という。）を塗装してなる表示を有することを特徴とする化粧鉢。
【請求項２】
陶磁器の容器からなる化粧鉢であって、木花草鉢等の鉢等を収納することが可能であって、その外面に文字、マーク又は絵の形状をサンドブラスト加工により彫り付け、前記彫り付けた部分に油性塗料等を塗装してなる表示を有することを特徴とする化粧鉢。
【請求項３】
陶磁器の容器からなる化粧鉢であって、木花草鉢等の鉢等を収納することが可能であって、その外面に文字、マーク又は絵の形の開口を有するマスキングを被せ、前記マスキングの上からサンドブラスト加工することにより、前記マスキングの開口部分を彫り付け、前記彫り付けた部分に油性塗料等を塗装してなる表示を有することを特徴とする化粧鉢。
【請求項４】
請求項１〜請求項３のいずれかに記載した化粧鉢であって、表示の内容が住所、氏名、店名、企業名、ハウスマーク、商標、家紋、電話番号、宣伝文句のいずれかを含むことを特徴とする化粧鉢。
【考案の詳細な説明】
【技術分野】
【０００１】
本考案は、木、花又は草を鉢、盆又はプランタに植えたもの（以下単に「木花草鉢等」という。）の、鉢、盆又はプランタ（以下単に「鉢等」という。）の部分を収納して外見を飾る化粧鉢であって、人に対する表示機能や宣伝機能などを有する化粧鉢に関するものである。
【背景技術】
【０００２】
一部の鑑賞用の盆栽を除き、通常木、花又は草は素焼きの焼き物又は合成樹脂製（以下単に「素焼樹脂等」という。）の鉢等に植えることが多く店頭や店の中に飾るには見栄えが悪かった。そして、季節や時期に応じて適宜木、花又は草を取り替えて飾る場合、高価な陶磁器の鉢を使うことは不経済である。
また、お墓に切り花を供える習慣があるが、切り花はすぐに枯れてしまうため、枯れた花を飾った墓は見栄えが悪かった。さらに、木を使ったクリスマス飾りを飾ることや、木や花を使った正月飾りを飾ることが行われているが、木や花を切って飾ることは自然環境を保護する観点から問題があった。
また、見栄えのよい化粧鉢を設置して、化粧鉢は常に同じものを使いつつ、木花草鉢等を季節や時期に応じて取り替える考案を考えたが、常に店内や店頭などに設置するのであれば、人に対する表示機能や宣伝機能などを有する文字、マーク又は絵を表示することが好ましい。
しかし従来には、陶磁器に彫り付けを施し、彫り付けた部分に油性塗料、畜光塗料、夜光塗料又は発光塗料のいずれかの塗料（以下単に「油性塗料等」という。）を塗装したものはなかった。特に、人に対する表示機能や宣伝機能などを有する文字、マーク又は絵を彫り付けたものはなかった。
【考案の開示】
【考案が解決しようとする課題】
【０００３】
本考案は、上記した欠点を除くためなされたもので、その目的とするところは鉢等を収納する見栄えのよい化粧鉢を常設して、木花草鉢等の素焼樹脂等からなる鉢等の見栄えの悪さをなくし、かつ、木花草鉢等を季節や時期に応じて取り替える場合の経済的な負担を小さくすることにある。
また、見栄えがよく長持ちのする木、花又は草をお墓に飾ること、及び、木や花を切らずにクリスマス飾りや正月飾りを飾ることを可能とすることにある。
さらに、人に対する表示機能や宣伝機能などを有する文字、マーク又は絵を彫り付けた陶磁器からなる化粧鉢であって、彫り付けた部分に油性塗料等を塗装した表示を有する化粧鉢を提供することにある。
【課題を解決するための手段】
【０００４】
陶磁器の容器からなる化粧鉢であって、その表面に人に対する表示機能や宣伝機能などを有する文字、マーク又は絵を彫り付け、彫り付けた部分に油性塗料等を塗装してなる表示を有する、木花草鉢等の鉢等の部分を収納可能な化粧鉢とする。
【考案の効果】
【０００５】
木花草鉢等の鉢等の部分を収納可能な陶磁器の化粧鉢としたので、素焼樹脂等の鉢等に植えた木、花又は草を見栄えよく飾ることができるようになった。
また、木花草鉢等を季節や時期に応じて取り替える場合に、素焼樹脂等の鉢等に植えた植物を見栄えよく飾ることが可能となり、個々の木花草鉢等の鉢等を陶磁器にする場合に比べ、経済的な負担を軽減することができた。
また、見栄えのよい化粧鉢をお墓に設置すること、さらにはそのような化粧鉢をクリスマス飾りや正月飾りとして使用することを可能として、化粧鉢に木花草鉢等の鉢等の部分を収納して飾ることにより、見栄えがよく長持ちのする木、花又は草をお墓、室内、玄関又は門に飾ることが可能となった。
さらに、人に対する表示機能や宣伝機能などを有する文字、マーク又は絵を彫り付けた陶磁器からなる化粧鉢であって、彫り付けた部分に油性塗料等を塗装した表示を有する化粧鉢を提供することができた。
【考案を実施するための最良の形態】
【０００６】
請求項１の考案は、陶磁器の容器からなる化粧鉢であって、木花草鉢等の鉢等の部分を収納することが可能であって、その外面に文字、マーク又は絵の形状を彫り付け、前記彫り付けた部分に油性塗料等を塗装してなる表示を有する化粧鉢とする。
木花草鉢等の鉢等の部分を収納する化粧鉢とすることにより、素焼樹脂等の鉢等を使用した木花草鉢等を見栄えよく飾ることが可能となるからである。
また、文字、マーク又は絵を彫り付けて油性塗料等を塗装することにより、見栄えよく人に対する表示機能や宣伝機能などを有する化粧鉢とすることができるからである。  
彫り付ける方法には、小型のグラインダを使用して陶磁器の表面を彫る方法もあるが、サンドブラスト加工する方法が最も好ましい。
請求項２の考案は、陶磁器の容器からなる化粧鉢であって、木花草鉢等の鉢等の部分を収納することが可能であって、その外面に文字、マーク又は絵の形状をサンドブラスト加工により彫り付け、前記彫り付けた部分に油性塗料等を塗装してなる表示を有する化粧鉢とする。
圧縮空気に砂や酸化アルミなどの粉を混ぜて、ノズルから陶磁器の表面に吹き付けて、表面を削り取ることにより彫り付けるサンドブラスト加工は、安価で容易に施工できる加工法だからである。
【０００７】
請求項３の考案は、陶磁器の容器からなる化粧鉢であって、木花草鉢等の鉢等の部分を収納することが可能であって、その外面に文字、マーク又は絵の形の開口を有するマスキングを被せ、前記マスキングの上からサンドブラスト加工することにより、前記マスキングの開口部分を彫り付け、前記彫り付けた部分に油性塗料等を塗装してなる表示を有する化粧鉢とする。
熟練者であればマスキングをしなくともサンドブラスト加工により見栄えがよい彫り付けが可能であるが、マスキングをすることにより熟練者でなくともサンドブラスト加工による見栄えのよい彫り付けが可能となるからである。
請求項４の考案は、請求項１〜請求項３のいずれかに記載した化粧鉢であって、表示の内容が住所、氏名、店名、企業名、ハウスマーク、商標、家紋、電話番号、宣伝文句のいずれかを含む化粧鉢とする。
住所、氏名、店名、企業名、ハウスマーク、商標、家紋、電話番号、宣伝文句及びこれらを組み合わせた表示は、他の表示に比べ人に対して特に示したい表示や宣伝などの機能を持っているからである。
【実施例１】
【０００８】
以下本考案の実施例１を図１に示し説明する。実施例１の化粧鉢１は、陶磁器の容器の外面に店の宣伝文句を表した表示１ａ及び店名を表した表示１ｂとを有している。宣伝文句は文字と商標と絵を組み合わせた表示からなるものとし、店名は文字とマークを組み合わせた表示からなるものとした。
実施例１の化粧鉢１の製造方法は、予め文字、商標、絵、マーク等の形状に該当する部分を開口とし、他の部分を覆うマスキングを作り、前記マスキングを陶磁器の表面に被せ、マスキングの上からサンドブラスト加工を施すことにより、マスキングしていない開口部のみを彫り込んだものである。
さらに、サンドブラスト加工により陶磁器の表面に文字、商標、絵、マーク等の形状の彫り付けを施した部分に油性塗料を塗布して製造したものである。
実施例１の化粧鉢１は細長の形状を有しており３組の木花草鉢等６の鉢６ｂを収納することができる。木花草鉢等６は観葉植物６ａを素焼きの鉢６ｂに植えたものであるが、素焼きの鉢６ｂは化粧鉢１に隠れているので全体として見栄えがよい。
観葉植物６ａは季節に合わせ、時期に応じて時々取り替えるが、化粧鉢１は常時店内や店頭に置いておく。店内に入った顧客や店頭を通り過ぎる人達は観葉植物６ａを見て癒されると共に、店の宣伝文句を表した表示１ａや店名を表した表示１ｂを見るため、化粧鉢１の宣伝広告機能は大きい。
【実施例２】
【０００９】
以下本考案の実施例２を図２に示し説明する。実施例２の化粧鉢２は、陶磁器の容器の外面に個人の住所と名前を表した表示２ａを有している。
実施例２の化粧鉢２の製造方法は、予め文字の形状に該当する部分を開口とし、他の部分を覆うマスキングを作り、前記マスキングを陶磁器の表面に被せ、マスキングの上からサンドブラスト加工を施すことにより、マスキングしていない開口部のみを彫り込んだものである。
さらに、サンドブラスト加工により陶磁器の表面に文字の彫り付けを施した部分に夜光塗料を塗布して製造したものである。
実施例２の化粧鉢２は１組の木花草鉢等７の鉢７ｂを収納することができる。木花草鉢等７は木７ａをプラスチックの鉢７ｂに植えたものであるが、プラスチックの鉢７ｂは化粧鉢２に隠れているので全体として見栄えがよい。
木は季節に合わせ、時期に応じて時々取り替えるが、化粧鉢２は常時住宅の玄関又は門に置いておく。住宅を訪れたり門の前を通り過ぎる人達は木７ａを見て癒されると共に、住所や名前の表示２ａを見て正しい住宅を訪問することができたり、自分のいる場所を確認することができる。
化粧鉢２の住所や名前の表示２ａには夜光塗料を塗布したので夜間においても認識することが可能である。
【実施例３】
【００１０】
以下本考案の実施例３を図３に示し説明する。実施例３の化粧鉢３は、陶磁器の容器の外面に家紋を表した表示３ａを有している。
実施例３の化粧鉢３の製造方法は、予め家紋の形状に該当する部分を開口とし、他の部分を覆うマスキングを作り、前記マスキングを陶磁器の表面に被せ、マスキングの上からサンドブラスト加工を施すことにより、マスキングしていない開口部のみを彫り込んだものである。
さらに、サンドブラスト加工により陶磁器の表面に家紋の彫り付けを施した部分に油性塗料を塗布して製造したものである。
実施例３の化粧鉢３は１組の木花草鉢等８の鉢８ｂを収納することができる。木花草鉢等８は花８ａを素焼きの鉢８ｂに植えたものであるが、素焼きの鉢８ｂは化粧鉢３に隠れているので全体として見栄えがよい。
化粧鉢３は常時お墓に置いておく。木花草鉢等８は時々変える必要はあるが、頻繁に変える必要はなく常にお墓に花を飾ることができる。鉢植えの花は切り花と比べ長期にわたって花を咲かせてくれるからである。
実施例３では、家紋を表した化粧鉢をお墓に飾ったが、クリスマスの図形を表した化粧鉢を使用してクリスマス飾りとしたり、正月の図形を表した化粧鉢を使用して正月飾りとすることも可能である。
【産業上の利用可能性】
【００１１】
本考案は、陶磁器の製造販売を行う産業や、サンドブラスト加工を行う産業で利用されるだけでなく、植木サービスを行う産業や観葉植物のレンタルサービスを行う産業、さらには一般家庭、個人事業の店舗から大企業にいたる全ての産業で利用される。
【図面の簡単な説明】
【００１２】
【図１】化粧鉢の使用状態を示す斜視図である。
【図２】化粧鉢の使用状態を示す一部破断した正面図である。
【図３】化粧鉢の使用状態を示す一部破断した正面図である。
【符号の説明】
【００１３】
１  ：化粧鉢                  １ａ：表示                  １ｂ：表示
２  ：化粧鉢                  ２ａ：表示                  ３  ：化粧鉢
３ａ：表示                    ６  ：木花草鉢等            ６ａ：観葉植物
６ｂ：鉢                      ７  ：木花草鉢等            ７ａ：木
７ｂ：鉢                      ８  ：木花草鉢等            ８ａ：花
８ｂ：鉢
【図１】
0003113482.tif 000003
【図２】
0003113482.tif 000004
【図３】
0003113482.tif 000005